(57)【要約】【課題】  本発明は、上記課題を鑑みてなされたものであり、電柱における鳥の巣作りを阻止し、不測の電気事故を防いで電力の安定供給を図り、しかも動物保護の観点に立った営巣防止器具を提供することにある。【解決手段】  電柱Ｐの水平な箇所Ｆに起立部材２ａ，２ｂを備え、該起立部材２ａ，２ｂにはリング体１を回転可能に吊り下げており、前記リング体１の一部又は複数の箇所Ｑは、鳥１５が首や羽などを引っ掛けた際に分断可能に形成してあることを特徴とする。【選択図】      図５（ａ）（ｂ）
2006101762.tif 000002
【特許請求の範囲】
【請求項１】
電柱（Ｐ）の水平な箇所（Ｆ）に起立部材（２ａ，２ｂ）を備え、当該起立部材（２ａ，２ｂ）にはリング体（１）を回転可能に吊り下げており、
前記リング体（１）の一部又は複数の箇所（Ｑ）は、鳥（１５）が首や羽などを引っ掛けた際に分断可能に形成してあることを特徴とする営巣防止器具。
【請求項２】
前記分断箇所（Ｑ）は、分断された一方のリング体（１）の端部に突起（７）を備え、他方の端部には、前記突起（７）をスナップ式に嵌合できる受部（８）を備えていることを特徴とする請求項１記載の営巣防止器具。
【発明の詳細な説明】
【技術分野】
【０００１】
本発明は、電柱上部の平坦な箇所において鳥の営巣を防ぐための営巣防止器具に関するものである。
【背景技術】
【０００２】
鳥は通常、外敵から卵や雛を守るために高い場所に巣を作る習性がある。しかしながら、宅地の造成等に伴う森林や雑木林の伐採の進行によって巣作りの場所を追われ、近年では、電柱や送電線などの人間の生活圏が営巣場所として選ばれるケースが多い。
【特許文献１】特開２０００−３４２１５７号公報（１頁目、図１）
【発明の開示】
【発明が解決しようとする課題】
【０００３】
電柱の平坦な箇所は、雛の脅威となる外敵が少ないことから鳥の営巣にとって格好の場所となっており、特に人間の生活圏に営巣する鳥にあっては、家庭から排出される生活廃材を材料として巣を作るものであった。そして営巣の材料として利用される生活廃材の中には、例えば針金や該針金で形成された簡易な衣文賭け等、通電性を有する材料が含まれていることから、巣から剥離した前記針金などが活線や碍子等の設備品に付着した場合には、想定されない通電が起こって故障・停電といった電気事故の発生を招く問題点があった。
【０００４】
本発明は、上記課題を鑑みてなされたものであり、電柱における鳥の巣作りを阻止し、不測の電気事故を防いで電力の安定供給を図り、しかも動物保護の観点に立った営巣防止器具を提供することにある。
【課題を解決するための手段】
【０００５】
本発明の請求項１では、電柱の水平な箇所に起立部材を備え、当該起立部材にはリング体を回転可能に吊り下げており、前記リング体の一部又は複数の箇所は、鳥が首や羽などを引っ掛けた際に分断可能に形成してあることを特徴とし、さらに請求項２では、前記分断箇所は、分断されたリング体の一方の端部に突起を備え、他方の端部には、前記突起をスナップ式に嵌合できる受部を備えたものである。
【０００６】
ここで電柱の水平な箇所とは具体的に、碍子などの設備品を設置する腕金の天面や、電柱頂部などの比較的活線に近い箇所が挙げられる。またリング体の大きさについては、その回転時に電柱上部の水平な箇所を占有でき、しかも鳥が通り抜けられる程度のものであればよく、例えば円形、多角形状など種々選択される。また起立部材は、電柱の水平な箇所に安定して固定ができ、さらに、リング体の回転を妨げることなく垂下できるものであればよく、例えば上部が直角に曲げられた棒材や、あるいはアーチ状をなす彎曲部材等が使用されている。さらにリング体において分断される箇所は、鳥が軽く接触した程度では断ち切れず、鳥が無理に通り抜け出ようとしたり、あるいは鳥の飛来時にある程度強い力で容易に分断されるように調整できるものが選定される。例えば、リング体の一部に切り込みを入れ、他部分よりも径を細くして脆弱な箇所を形成したものなどが挙げられる。
【０００７】
以上のように形成すると、起立部材から垂下したリング体が回転することで、鳥が立ち止まるためのスペースを遮り、電柱上部の水平な箇所における鳥の営巣を制限でき、しかも、前記リング体に鳥が首や羽などを引っ掛けた場合でも、当該リング体の分断箇所の突起と受部とが弾性的に分断し、動物事故が防がれる。
【発明の効果】
【０００８】
本発明によれば、電柱において鳥が営巣をする場所を制限することで、不測の電気事故を防ぎ、電力の安定供給を図ることができる。
【０００９】
また動物保護の観点から一層有用な営巣防止器具を提供できる。
【発明を実施するための最良の形態】
【００１０】
以下、本発明による営巣防止器具の実施の形態を各図面に基づいて以下に説明する。
【００１１】
本営巣防止器具は図１と図２のように、電柱Ｐの上部に直交して取り付けられた腕金４に固定される二つの碍子５，５間に、起立部２ａの上部２ｂが水平方向に折れ曲がった態様をなす起立部材２ａ，２ｂを、マグネット１４を介して取り付けてあり、前記起立部材２ａ，２ｂの起立部２ａの上部２ｂからは取付部材３を介し、リング体１を横回転可能に吊り下げたものである。
尚、本実施形態ではリング体１を腕金４の碍子５，５間に取り付けた場合について説明するものである。
【００１２】
前記取付部材３は、樹脂製の水平板９と、該水平板９の左右端部から斜め外方に延長した２枚の係止片１６，１６とからなっている。また前記水平板９の中央には、縦孔１２を有する筒体１１が垂下しており、さらに該筒体１１の下端には、縦孔１２の径を窄めるようにリブ１３が内向きに突出している。また各係止片１６，１６には、それぞれの中間部に切欠１７，１７が設けてあり、当該各切欠１７，１７によって起立部２ａの上部２ｂを挟み込んで取り付けられる（図３参照）。
【００１３】
そして本発明の要部となる前記リング体１の構成は図２のように、樹脂製リングの頂部側に起立した軸棒６を備え、また底部側においては、分断したリングの端部同士をスナップ式に脱着できるようにしてある。さらに前述した分断箇所Ｑは、一方の端部に先端が球状に膨くらんだ突起７を、また他方の端部には、前記突起７と対応した形状をなす凹部を有する受部８を各々設けている。また前記軸棒６には、下方に向けて広がりを持つテーパ部１０を該軸棒６の延長方向に沿って連続して多数設けている。そして当該各テーパ部１０により、取付部材３の縦孔１２への前記軸棒６の挿入がスムーズに行える一方、前記テーパ部１０下端の張り出した部分が、前記縦孔１２内のリブ１３に引掛かり、結果、リング体１の重み程度では軸棒６が下方へ抜けない状態となり、リング体１の電柱Ｐからの脱落を防いでいる（図３参照）。また各テーパ部１０とリブ１３との接触箇所が線状となって接触面積が小さくなることから、微風程度で、リング体１が軸棒６を中心にして横方向に滑らかに回転するようになる。
【００１４】
次に、本営巣防止器具の実際の使用状態を説明する。
リング体１の中に鳥１５が図５（ａ）のように首を引っ掛けた場合、前記リング体１では引っ張る方向に力が働くことで図５（ｂ）のように、突起７と受部８とがスナップ式に嵌め込まれて連結されたリング体１の各端部が弾性的に分断し、そのまま鳥１５がリング体１から離脱できるように形成されている（図４（ａ）（ｂ）も合わせて参照）。またリング体１の分断後には、当該リング体１は例えるなら衣文賭けのような態様となり、リング体１の突起７と受部８とに分かれた各端部が、回転時に働く遠心力により外側に広がった状態で横回転するので、このような場合であっても、電柱Ｐの平坦な箇所Ｆに鳥１５が営巣し難い状態が保たれる。
【図面の簡単な説明】
【００１５】
【図１】本発明の営巣防止器具の設置箇所を示す説明図である。
【図２】図１中Ａを拡大して示す、本営巣防止器具の全体図である。
【図３】図２中Ｂを拡大して示す、リング体と起立部材との取付状態を説明した縦断面図である。
【図４（ａ）（ｂ）】図２中Ｃを拡大して示す、リング体の分断箇所の図である。
【図５（ａ）（ｂ）】本発明の営巣防止器具の実際の使用状態を示した説明図である。
【符号の説明】
【００１６】
１  リング体
２ａ  起立部（起立部材）
２ｂ  上部（起立部材）
７  突起
８  受部
Ｆ  平坦な箇所
Ｐ  電柱
Ｑ  分断箇所
【図１】
2006101762.tif 000003
【図２】
2006101762.tif 000004
【図３】
2006101762.tif 000005
【図４（ａ）（ｂ）】
2006101762.tif 000006
【図５（ａ）（ｂ）】
2006101762.tif 000007